(57)【要約】      （修正有）【課題】比較的少ない力でも容易に網枠を挟持することができ、網枠に形態される網等が噛みつくことを抑制し、所定の係合箇所に係合する連結固定具を提供する。【解決手段】網枠を挟持により固定、保持して竿体の上端に着脱自在に接続する連結固定具１であって、互いの両側方を係止して固定する一対の後部材５と前部材６とからなる。連結固定具１は後部材５と前部材６との上部に回動自在に連結するヒンジ機構を有している。このヒンジ機構は、水平方向のフック９と、フック９に係合する水平方向のヒンジ軸とからなる。固定は、連結固定具１の両側に形成される係止爪１１により固定する。【選択図】図１
0003223677.tif 000002
【実用新案登録請求の範囲】
【請求項１】
網枠を保持し、竿体の上端に着脱自在に接続する連結固定具であって、
互いの両側方を係止して固定する一対の後部材と前部材とからなり、
前記後部材と前記前部材との上部に回動自在に連結するヒンジ機構を有し、
前記ヒンジ機構は、後方に開口して前記後部材の上部に形成したフックと、前記フックに係合して軸支する前記前部材の上端部に形成したヒンジ軸とからなることを特徴とする連結固定具。
【請求項２】
網枠を通す枠通し孔を後部材と前部材の接合面の両側方に有するとともに、一方の枠通し孔から上面を通じて他方の枠通し孔に至るまで、後部材と前部材の接合面を前後方向に離間させた第１の空隙を有し、
水平方向を軸方向とするヒンジ軸の軸中心は前記第１の空隙の上方に位置するように前部材から延設され、フックは断面略半円形状となるように後方を開口するように後部材から延設されることを特徴とする請求項１に記載の連結固定具。
【請求項３】
前記一方及び他方の枠通し孔から下方に向けて、後部材と前部材の接合面を前後方向に離間させた第２の空隙を有することを特徴とする請求項２に記載の連結固定具。
【請求項４】
後部材と前部材との係合は、前記後部材の両側方に傾斜部を有する係止爪と、前記前部材の両側方に前記係止爪と係合する係止孔とを有し、
前記前部材の両側方には先端面下部を傾斜面とした凸部を有し、前記後部材の両側方には前記凸部に嵌合する凹部を有することを特徴とする請求項１、２または３のいずれか１項に記載の連結固定具。
【考案の詳細な説明】
【技術分野】
【０００１】
本考案は主に虫取り網、魚網といった網具に関するものであって、網を取り付けた網枠を竿体の先端に着脱自在に連結して固定する連結固定具を提供する。
【背景技術】
【０００２】
網枠を竿体の先端に着脱自在に連結するものとしては、特許文献１に示す網枠固定具や特許文献２に示す連結固定具などがある。特許文献１に示す網枠固定具は網枠挟持片を二つ折りとすることで網枠の両端を挟持し、この網枠挟持片を把持柄先端に装着した固定具本体に挿入して、網枠を把持柄に固定している。この網枠固定具は、網枠挟持片を二つ折りにする連結部であるブリッジを薄肉に形成し、網枠挟持片の固定ピンを固定孔に挿入することで固定していた。この特許文献１に示す網枠固定具は網枠挟持片を固定する力は少なくすむが、網枠挟持片を繰り返し開閉するとブリッジが破損してしまう。
【０００３】
特許文献２に示す連結固定具は、薄肉のブリッジを無くし、一対の雄部と雌部とに分割して形成する。分割することで雄部と雌部とを強固に固定する必要があることから雄部の両側方及び上方に係止爪を有し、雌部の両側方及び上方に爪受け孔を有し、三か所の係止爪と爪受け孔との係合により網枠を挟持して固定していた。この連結固定具は連結部に薄肉部を無くすことにより繰り返し開閉しても連結部を破損しにくくしている。
【０００４】
特許文献２に記載の連結固定具は、上方と両側方の三か所全てに注意を向けながら、ほぼ同時に３点の係止爪を係合させて網枠を挟持するため、上方や側方の係止爪に網が引っ掛かり、係合爪の係合が不十分になることが多かった。特に網の使用者は幼児や子供であり、十分に３点の爪を嵌め合わせることが難しかった。
【先行技術文献】
【特許文献】
【０００５】
【特許文献１】実用新案登録第３０８８４３６号公報
【特許文献２】実用新案登録第３１２３５２０号公報
【考案の概要】
【考案が解決しようとする課題】
【０００６】
そこで、比較的少ない力でも容易に網枠を挟持することができ、網枠に形態される網等が噛みつくことを抑制し、所定の係合箇所に係合する連結固定具が望まれていた。
【課題を解決するための手段】
【０００７】
本考案の連結固定具は、上記課題に鑑み、網枠を保持し、竿体の上端に着脱自在に接続する連結固定具であって、互いの両側方を係止して固定する一対の後部材と前部材とからなり、前記後部材と前記前部材との上部に回動自在に連結するヒンジ機構を有し、前記ヒンジ機構は、後方に開口して前記後部材の上部に形成したフックと、前記フックに係合して軸支する前記前部材の上端部に形成したヒンジ軸とからなることを特徴とする。
【０００８】
また、網枠を通す枠通し孔を後部材と前部材の接合面の両側方に有するとともに、一方の枠通し孔から上面を通じて他方の枠通し孔に至るまで、後部材と前部材の接合面を前後方向に離間させた第１の空隙を有し、水平方向を軸方向とするヒンジ軸の軸中心は前記第１の空隙の上方に位置するように前部材から延設され、フックは断面略半円形状となるように後方を開口するように後部材から延設されることが好ましい。
【０００９】
また、前記一方及び他方の枠通し孔から下方に向けて、後部材と前部材の接合面を前後方向に離間させた第２の空隙を有することが好ましい。
【００１０】
また、後部材と前部材との係合は、前記後部材の両側方に傾斜部を有する係止爪と、前記前部材の両側方に前記係止爪と係合する係止孔とを有し、前記前部材の両側方には先端面下部を傾斜面とした凸部を有し、前記後部材の両側方には前記凸部に嵌合する凹部を有することが好ましい。
【考案の効果】
【００１１】
請求項１に記載の考案により、後部材の上部と前部材の上部とをヒンジ機構により係合して、ヒンジ機構により上部を位置決めした状態で前部材を回動して、後部材の両側方と前部材の両側方とを容易に係合することができる。ヒンジ機構が後方に開けられており、網が配置された枠に取り付け易くなり、網などの噛みつきを逃げながら後部材と前部材とを容易に回動して合わせることができる。
【００１２】
請求項２に記載の考案により、後部材と前部材の接合面に網等を巻き込んでも第１の空隙により逃がしこむことができ、比較的少ない力で後部材と前部材とを組み付けることができる。従来の組みつけでは網などの噛み付けにより余計な力が必要となるが、後部材と前部材との第１の空隙により網等を組付けから逃がしている。この構成をとることにより、左右の後方に広く開口するフックにヒンジ軸を容易に係合することができ、ヒンジ軸の下方に位置する第１の空隙によりフックが前部材に干渉せずに回動することができる。
【００１３】
請求項３に記載の考案により、網枠に絡みついた網等があったとしても枠通し孔周辺の噛合いを第２の空隙により逃がすことができ、より小さい力で組付けが容易になる。
【００１４】
請求項４に記載の考案により、係止爪の先端下部が係止孔の縁に接触して破損することを防止するとともに、凸部の先端下部が凹部の縁に接触して破損することを防止して、ヒンジ機構により回動して前部材と後部材との両側方を係合させることができる。
【図面の簡単な説明】
【００１５】
【図１】本考案の実施形態に係る連結固定具の斜視図である。
【図２】網枠と竿体とを分離した状態を示す斜視図である。
【図３】連結固定具の側面図である。
【図４】連結固定具のＡ−Ａ線断面図である。
【図５】後部材の内面図である。
【図６】前部材の内面図である。
【考案を実施するための形態】
【００１６】
本考案の実施形態について図面に基づいて詳細に説明する。
【００１７】
実施形態の連結固定具１は、図１及び図２に示すように、全体の上側となる網枠２１を保持する頭部２と、全体の下側となる左右の両側に連結爪１９、１９と中央に連結脚３ａを有する脚部３とからなる。連結固定具１は頭部２により網枠２１を保持して、脚部３を竿体２２の上端に挿入して、連結爪１９、１９により竿体２２に固定された被連結体２２ａの側方開口部位に着脱自在に接続して、網枠２１を竿体２２に連結した状態で固定し、または固定を解除可能としている。
【００１８】
網２０は網枠２１に備え付けられているものであるが、網枠２１自体に結び付けられているものや、網の周囲にある布体等の補助物を介して網枠に備え付けたものも存在する。前者の場合には連結固定具１に噛みつくのは網自体であるが、後者の場合には網だけでなく布体も噛みつく。そこで、これらの補助物を含めて網等と記載する。
【００１９】
連結固定具１は、図３及び図４に示すように、頭部２及び脚部３の背面側（後側）を形成する後部材５と、後部材５と対をなして正面側（前側）を形成する前部材６とからなる。図５、図６に示すように、連結固定具１は頭部２と脚部３のうち連結脚３ａが、後部材５と前部材６との前後に分割される。
【００２０】
後部材５と前部材６の周囲の接合面を合わせて接合して固定する。これを組付けとしている。すなわち、図５及び図６に示すように、特に頭部２における後部材５と前部材６の内面側からみた状態で、その外枠となる周囲（外縁）に所定の肉厚を有する部分が形成されており、この周囲（外縁）を接合面とする。
【００２１】
頭部２の両側方には、後部材５から前方に突出する係止爪１１、１１と前部材６に形成される係止孔１０、１０とからなる係止機構と、凸部１３、１３及び凹部１４、１４からなる嵌合機構とを有している。連結固定具１は後部材５と前部材６とを接合した状態で、係止爪１１、１１を係止孔１０、１０に、凸部１３、１３を凹部１４、１４に嵌合して、前部材６を後部材５に固定可能としている。
【００２２】
係止機構は、後部材５の両側方に形成され前方に突出する係止爪１１、１１と、前部材６の両側方に形成され係止爪１１、１１を縁部に係止する係止孔１０、１０とからなり、左右対称に形成している。係止爪１１、１１は先端下部に傾斜部１２を有し、ヒンジ機構により回動した時に係止孔１０、１０の縁部との接触を防止している。
【００２３】
嵌合機構は係止機構よりも上方に位置している。嵌合機構は、前部材６の両側方の係止孔１０、１０よりも上方に形成され後方に突出する凸部１３、１３と、後部材５の両側方に形成され凸部１３、１３に嵌合する凹部１４、１４とからなり、左右対称に形成している。凸部１３、１３は円柱状に形成され、先端面下部を傾斜面１５とし、ヒンジ機構により回動した時に凹部１４、１４の先端縁との接触を防止している。これらにより、後部材５の接合面と前部材６の接合面とを合わせた接合状態を固定することができる。
【００２４】
次に、網枠２１の保持について説明する。図５に示すように、後部材５の内面（前面）には、網枠２１を保持する溝状の保持部１６を中央部分に有している。網枠２１は、円形部分の円形枠体と（図２参照）、連結固定具１内に配置される直線方向の直線枠体（図示しない）とからなり、円形枠体と直線枠体との折曲部分付近から連結固定具１内に配置して保持する。そこで、保持部１６は、２つの直線枠体を保持する下部分と、円形枠体を通す枠通し孔４、４を有し、円形枠体と直線枠体との折曲部分を保持する上部分とを有する略Ｔ字状となる。
【００２５】
保持部１６は間隔を空けて配置した受け板１６ａ、１６ａにより溝底を形成している。下部の受け板１６ａ、１６ａは左右方向の中央を前方に突出した山形として保持部１６を左右方向に二分割して、網枠２１の端部を配置する空間を区画している。保持部１６は下部の受け板１６ａ、１６ａを並べた間に両側壁から後方内向きに突出する押え爪１７、１７を有し、押え爪１７、１７により保持部１６の溝底側に網枠２１の両端部を押し付けて固定している。
【００２６】
前部材６は、図６に示すように、内面（後面）の押え爪１７、１７よりも下方の位置に、保持部１６（後方）に向けて突出する抜止部１８を有している。抜止部１８は下部の受け板１６ａに対向して後方に突出した山形に形成されて、前部材６を後部材５に係合すると対向する受け板１６ａと共に網枠２１の両端部を挟持、固定する。
【００２７】
次に、後部材５と前部材６とを接合して固定するためのヒンジ機構について説明する。ヒンジ機構は、後方に鉤口を有して後部材５の上端部に形成したフック９と、フック９に係合して軸支する前部材６の上部に形成したヒンジ軸８とからなる。この上部とは、本説明においては頭部２にあたる上平面よりも上方に突出して形成されたものを指す。
【００２８】
ヒンジ軸８は、図６に示すように、前部材６の頭部２の上平面よりも上方に位置し、連結固定具１の長手方向と直交する方向（水平方向）を軸方向としている。ヒンジ軸８は、後部材５と前部材６との接合面の上方に位置するようにしている。ヒンジ軸８の下方に位置する接合面は、前後方向に若干離間させて第１の空隙７ａを形成している。第１の空隙７ａは両側の枠通し孔４、４に至るまで形成される。つまり、第１の空隙７ａは、一方の枠通し孔４から接合部分に沿って上方に開口され、連結固定具１の上平面の接合部分に沿っており、さらにもう一方の枠通し孔４に至るまで形成される。
【００２９】
フック９は、図５に示すように、後部材５の頭部２の上平面よりも上方に位置し、断面略半円形状となるように後方を開口して形成し、上端部内周面にヒンジ軸８を抜け止める突出片９ａを有している。ヒンジ軸８の軸中心は上記のとおり第１の空隙７ａの上方に位置していることから、フック９も第１の空隙７ａの上方でヒンジ軸８を回動自在に軸支している。
【００３０】
次に、枠体の取付について説明する。連結固定具１は、後部材５に網枠２１を取り付けた後、後部材５のフック９に前部材６のヒンジ軸８を嵌め込み、前部材６のヒンジ軸８を軸に回動して、後部材５の接合面と前部材６の接合面が合わさるように閉じる（組付ける）。このときに、係止爪１１、１１等の係止により、連結固定具１の接合状態が固定される。
【００３１】
本実施形態の連結固定具１は、断面略半円形状のフック９にヒンジ軸８を嵌め合わせることが容易になり、後方がフリーな状態で前部材６を回動し易くしている。しかも、連結固定具１の係止爪１１、１１が両側のみに形成されていることから、前部材６の回動時にヒンジ軸８がフック９に係合した状態のみを注視して回動すれば、接合状態で両側の係止爪１１、１１により固定されるため、位置ずれが起こり難く、容易に接合状態を固定することが可能になる。
【００３２】
後部材５の上端部と前部材６の上端部との間に網２０が挟まれることを防止して、後部材５と前部材６とを連結している。そして、押え爪１７、１７により網枠２１の両端部のズレを防止してヒンジ機構により前部材６を回動して、後部材５と前部材６とにより網枠２１を挟持することができる。
【００３３】
更に、後部材５と前部材６の接合面は、枠通し孔４、４からそれぞれ下方に向けて前後方向に離間させて第２の空隙７ｂ、７ｂを形成している。第２の空隙７ｂ、７ｂの上下方向の寸法は第１の空隙７ａの枠通し孔４から上端部までの上下方向の寸法とほぼ同じとしている。
【００３４】
また、図５及び図６に示すように、主たる固定手段である係止爪１１、１１が頭部２の下方両側に形成されている。使用者がヒンジ機構により回動させたとき、第１の空隙７ａと第２の空隙７ｂにより、網等の噛合いを逃がしつつ、係止爪１１、１１の二点で固定することから、位置ずれが発生することを少なくすることができる。
【符号の説明】
【００３５】
１…連結固定具、２…頭部、３…脚部、４…枠通し孔、５…後部材、６…前部材、７ａ…第１の空隙、７ｂ…第２の空隙、８…ヒンジ軸、９…フック、１０…係止孔、１１…係止爪、１２…傾斜部、１３…凸部、１４…凹部、１５…傾斜面、１６…保持部、１７…押え爪、１８…抜止部、１９…連結爪、２０…網、２１…網枠、２２…竿体。
【図１】
0003223677.tif 000003
【図２】
0003223677.tif 000004
【図３】
0003223677.tif 000005
【図４】
0003223677.tif 000006
【図５】
0003223677.tif 000007
【図６】
0003223677.tif 000008